(57)【要約】【課題】            従来のアタッチ部材は一旦、ロック状態とするとそのロックを解除する事が原則として行なえず、ループ形成材を切断して商品から取り外すものとなっており、簡単に商品への着脱を繰り返し行なうことができないもので、仮にロック解除して繰り返し使用することを可能としてもその操作性が取り扱いずらいものとなっていたという点である。【解決手段】        ロック解除可能なアタッチ部材は可撓性を有するループ形成材の一端に、少なくとも窓孔を形成し、その窓孔の周縁の一部あるいは近傍に係止部を備え、前記窓孔に連通する受孔を有する受部を固設し、前記ループ形成材の他端には、前記受部の受孔に挿入される挿入部を固設するとともに、その挿入部の一部に前記係止部と係合してロック状態とする係合部を備えたアタッチ部材に於いて、前記係合部は窓孔から露呈されるバネ片としてあることとする。【選択図】          図１
2009143619.tif 000002
【特許請求の範囲】
【請求項１】
可撓性を有するループ形成材の一端に、少なくとも窓孔を形成し、その窓孔の周縁の一部あるいは近傍に係止部を備え、前記窓孔に連通する受孔を有する受部を固設し、前記ループ形成材の他端には、前記受部の受孔に挿入される挿入部を固設するとともに、その挿入部の一部に前記係止部と係合してロック状態とする係合部を備えたアタッチ部材に於いて、前記係合部は窓孔から露呈されるバネ片としてあることを特徴とするロック解除可能なアタッチ部材。
【請求項２】
前記したバネ片は天面を弧面として、先端側が固定され、浮いた遊端を窓孔の一縁に係合するものとするとともに、前記受部の受孔にはこのバネ片をガイドするガイド溝が形成されていることを特徴とする請求項１に記載のロック解除可能なアタッチ部材。
【請求項３】
可撓性を有するループ形成材の一端に、少なくとも窓孔を形成し、その窓孔の周縁の一部あるいは近傍に係止部を備え、前記窓孔に連通する受孔を有する受部を固設し、前記ループ形成材の他端には、前記受部の受孔に挿入される挿入部を固設するとともに、その挿入部の一部に前記係止部と係合してロック状態とする係合部を備えたアタッチ部材に於いて、前記係止部は窓孔の周縁下面に形成された円柱状の突起とし、前記係合部は挿入部の先端部分に形成されたＬ字状の溝としたことを特徴とするロック解除可能なアタッチ部材。
【請求項４】
前記した挿入部のＬ字状の溝を形成する壁面の先端側上面には挿入をガイドするガイドテーパが形成され、前記したＬ字状の溝の挿入部の軸芯と直交する部分は弧状の回転ガイド面が形成されていることを特徴とする請求項３に記載のロック解除可能なアタッチ部材。
【請求項５】
可撓性を有するループ形成材の一端に、少なくとも窓孔を形成し、その窓孔の周縁の一部あるいは近傍に係止部を備え、前記窓孔に連通する受孔を有する受部を固設し、前記ループ形成材の他端には、前記受部の受孔に挿入される挿入部を固設するとともに、その挿入部の一部に前記係止部と係合してロック状態とする係合部を備えたアタッチ部材に於いて、前記係止部は窓孔内に一部を膨出する円柱状の突起とし、前記係合部は挿入部の先端部分に前端を開放したスパイラル溝としたことを特徴とするロック解除可能なアタッチ部材。
【請求項６】
前記スパイラル溝を形成する壁面は回転のガイドテーパ面とされていることを特徴とする請求項５に記載のロック解除可能なアタッチ部材。
【発明の詳細な説明】
【技術分野】
【０００１】
本発明はアタッチ部材、主として商品としての衣服類等に価格や品質あるいはブランドを示すタグを吊持するため、ループを形成するアタッチ部材であって、そのループのロック状態を解除して、何度でも使用したり、購入者が他の装飾用として利用することもできるようにしたロック解除可能なアタッチ部材に関する。
【背景技術】
【０００２】
従来、上記した目的で使用されるアタッチ部材はループを形成する素材として伸延加工された強靭なプラスチック線材を用い、その一端に受孔と係止部を備えた受部を一体に固設し、他端に前記した受孔へ挿入され係止部に係合される係合部を備えた挿入部を一体に固設してあり、挿入部をタグの挿通孔へ通して吊持状態とし、その後に挿入部を受部の受孔へ挿入して係合部を係止部と係合してロック状態とすると、そのロック状態は外す事ができず、前記したプラスチック線材をカッターや鋏で切断して商品から取り除くこととする構成となっていた。
【０００３】
また、上記したアタッチ部材は衣服のボタンホールやベルトループ等に於いて取り付けられるが、試着をする場合にはその存在が邪魔となるため、現状は安全ピンにこのアタッチ部材を取り付け、その安全ピンを衣服に対し着脱するという煩わしい作業が行なわれている。
【０００４】
さらに、近時はブランドタグを吊持する際等は、装飾効果を得るため、プラスチック線材に代えて、チェーンや色彩を多様として素材、紐材等々をループ形成素材として使用する事が増えてきている。そして、かかる場合、このアタッチ部材は購入者は商品と共に持ち帰り、各自が携帯電話のストラップや身飾り品、バッグ等の装飾品と利用する事例も増えてきている。
【特許文献１】特願２００６−１６０６７６号出願書類
【発明の開示】
【発明が解決しようとする課題】
【０００５】
本発明が解決しようとする問題点は、従来のアタッチ部材は一旦、ロック状態とするとそのロックを解除する事が原則として行なえず、ループ形成材を切断して商品から取り外すものとなっており、簡単に商品への着脱を繰り返し行なうことができないもので、仮にロック解除して繰り返し使用することを可能としてもその操作性が取り扱いずらいものとなっていたという点である。
【課題を解決するための手段】
【０００６】
この問題点を解決するために、本発明に係るロック解除可能なアタッチ部材は可撓性を有するループ形成材の一端に、少なくとも窓孔を形成し、その窓孔の周縁の一部あるいは近傍に係止部を備え、前記窓孔に連通する受孔を有する受部を固設し、前記ループ形成材の他端には、前記受部の受孔に挿入される挿入部を固設するとともに、その挿入部の一部に前記係止部と係合してロック状態とする係合部を備えたアタッチ部材に於いて、前記係合部は窓孔から露呈されるバネ片としてあることを特徴とし、前記したバネ片は天面を弧面として、先端側が固定され、浮いた遊端を窓孔の一縁に係合するものとするとともに、前記受部の受孔にはこのバネ片をガイドするガイド溝が形成されていることを特徴としている。
【０００７】
また、本発明に係るロック解除可能なアタッチ部材は可撓性を有するループ形成材の一端に、少なくとも窓孔を形成し、その窓孔の周縁の一部あるいは近傍に係止部を備え、前記窓孔に連通する受孔を有する受部を固設し、前記ループ形成材の他端には、前記受部の受孔に挿入される挿入部を固設するとともに、その挿入部の一部に前記係止部と係合してロック状態とする係合部を備えたアタッチ部材に於いて、前記係止部は窓孔の周縁下面に形成された円柱状の突起とし、前記係合部は挿入部の先端部分に形成されたＬ字状の溝としたことを特徴とし、前記した挿入部のＬ字状の溝を形成する壁面の先端側上面には挿入をガイドするガイドテーパが形成され、前記したＬ字状の溝の挿入部の軸芯と直交する部分は弧状の回転ガイド面が形成されていることを特徴としている。
【０００８】
さらに、本発明に係るロック解除可能なアタッチ部材は可撓性を有するループ形成材の一端に、少なくとも窓孔を形成し、その窓孔の周縁の一部あるいは近傍に係止部を備え、前記窓孔に連通する受孔を有する受部を固設し、前記ループ形成材の他端には、前記受部の受孔に挿入される挿入部を固設するとともに、その挿入部の一部に前記係止部と係合してロック状態とする係合部を備えたアタッチ部材に於いて、前記係止部は窓孔内に一部を膨出する円柱状の突起とし、前記係合部は挿入部の先端部分に前端を開放したスパイラル溝としたことを特徴とし、前記スパイラル溝を形成する壁面は回転のガイドテーパ面とされていることを特徴としている。
【発明の効果】
【０００９】
本発明に係るロック解除可能なアタッチ部材は上記のように構成されている。そのため、ロック状態からワンタッチのプッシュ作業あるいは回転作業を行なうのみで、容易にロックは解除され、商品から取り外す事ができる。また、再び取り付けロックする作業も容易となっているもので、商品購入後に需要者が種々の装飾目的に応用使用することに関しても使い勝手が良いものとなっている。
【発明を実施するための最良の形態】
【００１０】
図面として示し、実施例で説明したように構成することで実現した。
【実施例１】
【００１１】
次に、本発明の好ましい第一実施例を図１乃至図１０を参照して説明する。図１は本発明の第一実施例を示すアタッチ部材のロック状態を示す断面図、図２は同じく平面図、図３は同じく他方向からの断面図、図４は受部を示す平面図、図５は同じく側面図、図６は同じく正面図、図７は同じく挿入部を示す平面図、図８は同じく側面図、図９は同じく正面図、図１０は同じく背面図である。
【００１２】
この図１乃至図１０にあって１はループ形成材を示しており、この実施例にあっては糸を想定している。このループ形成材１の一端にはポリプロピレンあるいはナイロンあるいはポリアセタールで成形された受部２が一体的に固着されている。この一体的な固着構造はループ形成材１の端部に球状部１ａを構成し、この球状部１ａを受部２の基端に設けられる透孔内に接着剤と共に圧入し、脱落防止を図っている。
【００１３】
また、この受部２は全体として断面楕円状の有底筒体となっており、先端面に後述する挿入部が挿し込まれる開口を有する受孔３が形成され、この受孔３は受部２の一部に形成された窓孔４と連通されている。この窓孔４が形成された面の先端側には補強と操作時の指の滑り止めとなるリブ５、５が一体に形成されている。
【００１４】
この受部２にあっては、窓孔４のリブ５、５側の開口縁４ａが後述する挿入部の係合部となるバネ片の係止部となるもので、前記受孔３にはこのバネ片の挿入をガイドする溝部３ａが形成されている。
【００１５】
一方、図中６はループ成形材１の他端に固着されたポリプロピレンあるいはナイロンあるいはポリアセタールで成形された挿入部であり、この場合の固着は挿入部６の基端から先端まで形成されている貫通孔内に接着剤とともにループ成形材１の他端部分を圧挿通することによりなされ、脱落防止を図っている。
【００１６】
この挿入部６は上面を平坦とし、底面の長手方向に沿ったエッジ部分は受孔３に沿うようにアール形成されている。上面には挿し込み作業を行なうための操作部７が設けられ、この操作部７は基端側が指腹で押し易いようにスロープが形成され、かつ、滑り止め用のリブ８、８‥が本実施例では三つ一体に並設されている。
【００１７】
また、挿入部６の上面先端側には係合部としてのバネ片９が備えられている。このバネ片９は弧状に形成され、その基端を挿入部６の上面先端縁に沿って設けられているもので、遊端９ａが前記した受部２の窓孔４の開口縁４ａと係合してロック状態、即ちループ成形材１をループ状態に安定させることとなる。
【００１８】
ここで、必要に応じてバネ片９、特にその遊端９ａを窓孔４を通して押し下げることで、ロック状態は解除され、アタッチ部材そのものを被装着体から取り外す事ができる。
【実施例２】
【００１９】
次いで、図１１乃至図１６を参照して本発明の好ましい第二実施例を説明する。図１１は本発明の第二実施例を示すアタッチ部材のロック状態を示す平面図、図１２は同じく正面図、図１３は同じく受部を示す平面図、図１４は同じく側面図、図１５は同じく挿入部を示す平面図、図１６は同じく側面図である。
【００２０】
この図１１乃至図１６にあって１は第一実施例と同様のループ成形材としての糸を示し、このループ成形材１と受部、挿入部との固着構造は第一実施例と同様である。
【００２１】
ループ成形材１の一端に固着された受部１０は基端がすぼまったポリプロピレンあるいはナイロンあるいはポリアセタールで成形された有底円筒状をしており、先端に後述する挿入部が挿し込まれる開口を形成した受孔１１が設けられ、この受孔１１は受部１０の一部に設けられた窓孔１２と連通している。また、この窓孔１２の先端側縁の下方には略円柱として形成されている係止部としての突起１３が一体に備えられている。
【００２２】
一方、ループ成形材１の他端に固着された挿入部１４はポリプロピレンあるいはナイロンあるいはポリアセタールで成形された略円柱状のものとされ、その先端に底面は本体部分と面一とし、上方は略矩形とした装着部１５が一体に形成されている。そして、この装着部１５の先端側上面は挿入をガイドするためのテーパ面１５ａが形成されるとともに、挿入部１４の軸芯方向に沿った長溝１６ａとその長溝１６ａと直交する短溝１６ｂが形成され、この長溝１６ａと短溝１６ｂは連通されて略Ｌ字状の溝となっている。また、長溝１６ａの先端側は開放され、短溝１６ｂの奥端は後述するロック時の回転ストッパ壁となっているもので、この短溝１６ｂの溝底面は回転をガイドする弧状となっている。さらには、長溝１６ａの両壁面は挿入をガイドするため、上方に向かって拡開するテーパ面１６ｃ、１６ｃが形成されている。
【００２３】
この第二実施例の場合、挿入部１４を受部１０の受孔１１へ挿入してロック状態とするには、挿入部１４の長溝１６ａを受部１０の突起１３に沿わせて受孔１１の開口から挿入し、その突起１３が長溝１６ａの奥端に当接した時点で挿入部１４を略９０度、短溝１６ｂを突起１３に沿わせて回転する。この回転は短溝１６ｂの奥壁で停止されて位置決めされる。この状態で突起１３は係合部としての短溝１６ｂの両壁１６ｄ、１６ｄと係合し、その位置から引き抜きや更なる挿入は抑制されてロック状態となり、ループ成形材１によるループが形成される。
【００２４】
このロック状態を解除するには、挿入部１４をロック時と逆方向に略９０度回転させ、突起１３の位置を短溝１６ｂから長溝１６ａへ戻せば、そのまま引き抜くことで完了する。尚、このロック時、その解除時の回転作業は挿入部１４側ではなく、受部１０側を回転させることでも同様の効果が得られる。この第二実施例にあって窓孔１２は主としてロック状態を目視確認するためのものとなる。
【実施例３】
【００２５】
さらに、図１７乃至図２１を参照して本発明の好ましい第三実施例を説明する。図１７は本発明の第三実施例を示すアタッチ部材のロック状態を示す平面図、図１８は同じく正面図、図１９は同じく受部の平面図、図２０は同じく側断面図、図２１は同じく挿入部を示す平面図である。
【００２６】
この図１７乃至図２１にあって１は第一実施例、第二実施例と同様のループ成形材としての糸を示し、このループ成形材１と受部、挿入部との固着構造は第一実施例、第二実施例と同様である。
【００２７】
ループ成形材１の一端に固着された受部１７は基端がすぼまったポリプロピレンあるいはナイロンあるいはポリアセタールで成形された有底円筒状をしており、先端に後述する挿入部が挿し込まれる開口を形成した受孔１８が設けられ、この受孔１８は受部１７に対称的に設けられた窓孔１９、１９ａと連通している。また、一方の窓孔19の先端側縁には一部を窓孔１９内に膨出し、略円柱状として形成されている係止部としての突起２０が一体的に備えられている。
【００２８】
一方、ループ成形材１の他端に固着された挿入部２１はポリプロピレンあるいはナイロンあるいはポリアセタールで成形された略円柱状のものとされ、その先端側から途中までの外面にスクリュー溝２２が形成されている。このスクリュー溝２２の底面の幅は前記した突起２０の外径と略一致するものとされ、両壁面は上方へ向かって拡開するテーパ面とされ、このスクリュー溝２２の先端側は突起２０を受け入れるため開放された構成となっている。
【００２９】
この第三実施例にあって、ロック状態とするためには、挿入部２１を先端から受孔１８へ挿し込む際に、スクリュー溝２２の先端開放部分を突起２０に沿わせる。そして突起２０がスクリュー溝２２の壁面と当接した時点で挿入部２１を略１８０度回転させてやると、スクリュー溝２２が突起２０に沿って受部１７内へ入り込み、スクリュー溝２２の壁面間に突起２０が位置されることで、引き抜きが抑制されることとなる。
【００３０】
また、このロック状態を解除するためには、挿入部２１を逆方向に回転させてやることで、突起２０はスクリュー溝２２から外れ、引き抜く事ができる。尚、ロック時、ロック解除時の回転作用は挿入部２１に代えて受部１７側を回転させてやることでも同様に実行できる。
【産業上の利用可能性】
【００３１】
本発明の実施例は上記したように構成されている。この実施例ではループ成形材１として糸を想定しているが、これは延伸加工したプラスチック線材やチェーン、ボールチェーン、紐、ゴム紐等を可撓性を有してループを成形する事ができる素材ならば使用する事が可能である。
【図面の簡単な説明】
【００３２】
【図１】本発明の第一実施例を示すアタッチ部材のロック状態を示す断面図である。
【図２】平面図である。
【図３】他方向からの断面図である。
【図４】受部を示す平面図である。
【図５】側面図である。
【図６】正面図である。
【図７】挿入部を示す平面図である。
【図８】側面図である。
【図９】正面図である。
【図１０】背面図である。
【図１１】本発明の第二実施例を示すアタッチ部材のロック状態を示す平面図である。
【図１２】正面図である。
【図１３】受部を示す平面図である。
【図１４】側面図である。
【図１５】挿入部を示す平面図である。
【図１６】側面図である。
【図１７】本発明の第三実施例を示すアタッチ部材のロック状態を示す平面図である。
【図１８】正面図である。
【図１９】受部の平面図である。
【図２０】側断面図である。
【図２１】挿入部を示す平面図である。
【符号の説明】
【００３３】
１    ループ成形材
２    受部
３    受孔
３ａ  溝部
４    窓孔
４ａ  開口縁
５    リブ
６    挿入部
７    操作部
８    リブ
９    バネ片
１０  受部
１１  受孔
１２  窓孔
１３  突起
１４  挿入部
１５  装着部
１６ａ  長溝
１６ｂ  短溝
１６ｃ  テーパ面
１６ｄ  壁面
１７  受部
１８  受孔
１９  窓孔
１９ａ  窓孔
２０  突起
２１  挿入部
２２  スクリュー溝
【図１】
2009143619.tif 000003
【図２】
2009143619.tif 000004
【図３】
2009143619.tif 000005
【図４】
2009143619.tif 000006
【図５】
2009143619.tif 000007
【図６】
2009143619.tif 000008
【図７】
2009143619.tif 000009
【図８】
2009143619.tif 000010
【図９】
2009143619.tif 000011
【図１０】
2009143619.tif 000012
【図１１】
2009143619.tif 000013
【図１２】
2009143619.tif 000014
【図１３】
2009143619.tif 000015
【図１４】
2009143619.tif 000016
【図１５】
2009143619.tif 000017
【図１６】
2009143619.tif 000018
【図１７】
2009143619.tif 000019
【図１８】
2009143619.tif 000020
【図１９】
2009143619.tif 000021
【図２０】
2009143619.tif 000022
【図２１】
2009143619.tif 000023